【手続補正書】
【提出日】平成16年12月10日(2004.12.10)
【手続補正１】
【補正対象書類名】明細書
【補正対象項目名】発明の名称
【補正方法】変更
【補正の内容】
【発明の名称】ビデオ信号を処理する方法
【手続補正２】
【補正対象書類名】明細書
【補正対象項目名】特許請求の範囲
【補正方法】変更
【補正の内容】
【特許請求の範囲】
【請求項１】  第１と第２の異なる画像形式をそれぞれ呈する第１と第２のビデオ信号を処理する方法であって、前記第１または第２のビデオ信号の存在を検出するステップを含み、更に
Ａ．前記第１のビデオ信号が検出されたときに、
（ａ）前記第１のビデオ信号を異なる形式に変換して、変換済み信号を発生するステップと、
（ｂ）前記変換済み信号を瀘波して、瀘波済み信号を発生するステップと、
（ｃ）前記瀘波済み信号を、前記第１の信号の元の形式に再変換して、再変換済み信号を発生するステップと
（ｄ）前記再変換済み信号を比較的低い解像度に変換して、比較的低解像度の信号を発生するステップと、
（ｅ）前記比較的低解像度の信号を符号化して、符号化済み信号を発生するステップと、
（ｆ）前記符号化済み信号を出力チャンネルに送るステップと、から成り、
Ｂ．前記第２のビデオ信号が検出されたときに、
（ｇ）前記第２のビデオ信号を瀘波して瀘波済み信号を発生するステップと、  
（ｈ）前記瀘波済み信号を比較的低い解像度に変換して、比較的低解像度の信号を発生するステップと、
（ｉ）前記比較的低解像度の信号を符号化して、符号化済み信号を発生するステップと、
（ｊ）前記符号化済み信号を出力チャンネルに送るステップと、から成る前記方法。
【請求項２】  前記第１のビデオ信号が、飛越し走査信号であり、且つステップ（ａ）で前記飛越し走査信号が、順次走査信号に変換される、請求項１記載の方法。
【請求項３】  前記第１のビデオ信号が、テレシネ・フィルムの信号であり、且つステップ（ａ）で前記テレシネ・フィルム信号が、デテレシネ信号に変換される、請求項１記載の方法。
【請求項４】  前記第２のビデオ信号が、順次走査信号である、請求項１記載の方法。
【請求項５】  前記瀘波するステップで、低域瀘波が行われる、請求項１記載の方法。  
【請求項６】  前記瀘波するステップで、２次元瀘波が行われる、請求項５記載の方法。
【請求項７】  前記瀘波するステップで、４グループの画像と１フレームと１部分フレームのうちの１つに調節される適応的瀘波が得られる、請求項１記載の方法。
【請求項８】  前記瀘波するステップで、時間的に低域瀘波が行われ、前記信号の特性に応答して瀘波特性を適応的に変化させる、請求項１記載の方法。
【請求項９】  前記瀘波するステップで、空間的に低域瀘波が行われ、前記信号の特性に応答して瀘波特性を適応的に変化させる、請求項１記載の方法。
【請求項１０】  前記符号化するステップが、ＭＰＥＧ２と互換性のある、請求項１記載の方法。
【請求項１１】  前記比較的低解像度の信号が、毎フレーム１２８０ｘ１０８０データ・サンプルの解像度を有する、請求項１記載の方法。
【請求項１２】  前記第１と第２のビデオ信号が、毎フレーム１９２０ｘ１０８０データ・サンプルの解像度を有する高精細度信号である、請求項１記載の方法。
【請求項１３】  飛越し走査ビデオ信号とテレシネ・フィルム形式信号の何れか１つを処理する方法であって、
前記飛越し走査ビデオ信号と前記テレシネ・フィルム信号のうち１つの存在を検出するステップと、
前記検出された信号を、順次走査信号とデテレシネ信号の何れか１つに変換して、変換済み信号を発生するステップと、
前記変換済み信号を瀘波して、瀘波済み信号を発生するステップと、
前記瀘波済み信号を、飛越し走査信号とテレシネ信号の何れか１つに再変換して、再変換済み信号を発生するステップと、
前記再変換済み信号を比較的低い解像度に変換して、比較的低解像度の信号を発生するステップと、
前記比較的低解像度の信号を符号化して、符号化済み信号を発生するステップと、
前記符号化済み信号を出力チャンネルに送るステップと、から成る前記方法。
【請求項１４】  前記瀘波するステップが、低域瀘波であり、前記符号化するステップが、ＭＰＥＧ２符号化である、請求項１３記載の方法。
【請求項１５】  前記比較的低解像度の信号が、毎フレーム１２８０ｘ１０８０データ・サンプルの解像度を有する、請求項１３記載の方法。
【請求項１６】  非テレシネ式順次走査ビデオ信号を処理する方法であって、
前記検出された信号を適応的に瀘波して、瀘波済み信号を発生するステップと、
前記瀘波済み信号を比較的低い解像度に変換し、比較的低解像度の信号を発生するステップと、
前記比較的低解像度の信号をＭＰＥＧ符号化し、符号化済み信号を発生するステップと、
前記符号化済み信号を出力チャンネルに送るステップと、から成る前記方法。
【請求項１７】  前記瀘波するステップが、低域瀘波であり、且つ前記符号化するステップが、ＭＰＥＧ２符号化である、請求項１６記載の方法。
【請求項１８】  非テレシネ式（ｎｏｎ‐ｔｅｌｅｃｉｎｅｄ）順次走査ビデオ信号を処理する方法であって、
前記検出された信号を瀘波して、瀘波済み信号を発生するステップと、
前記瀘波済み信号を比較的低い解像度に変換し、毎フレーム１２８０ｘ１０８０サンプルの解像度を有する比較的低解像度の信号を発生するステップと、
前記比較的低解像度の信号を符号化し、符号化済み信号を発生するステップと、
前記符号化済み信号を出力チャンネルに伝送するステップと、から成る前記方法。
【請求項１９】  高精細度ビデオ信号処理システムにおいて、毎フレーム１２８０ｘ１０８０データ・サンプルの解像度を含む１つ以上の画像解像度を呈する、受信されたディジタル・ビデオ信号を処理する方法であって、
前記信号を復号化して、復号化済み信号を発生するステップと、
前記復号化済み信号の画像解像度を確定するステップと、
前記復号化済み信号が、ライン当り１２８０サンプルの水平画像解像度を有するならば、前記復号化済み信号からの水平情報を異なる解像度に変換して、変換済み信号を発生するステップと、
前記変換済み信号を出力装置に送るステップと、から成る前記方法。
【請求項２０】  前記変換が、アップ・コンバージョンであり、且つ前記異なる解像度が、ライン当り１９２０水平サンプルである、請求項１９記載の方法。
【請求項２１】  前記変換が、ダウン・コンバージョンであり、且つ前記異なる解像度が、比較的低い解像度である、請求項１９記載の方法。
【請求項２２】  前記受信されたディジタル・ビデオ信号が、ＭＰＥＧ２と互換性のある、請求項１９記載の方法。
【請求項２３】  前記適応的瀘波が、前記変換するステップによる信号のサブサンプリングと係わりがない、請求項１６記載の方法。
【請求項２４】  前記適応的瀘波が、瀘波に先立ち画像信号のパラメータの関数である、請求項１６記載の方法。
【請求項２５】  前記適応的に瀘波するステップから前記伝送するステップまでを含む前記方法が、固定画像フレーム形式に関して働く、請求項１６記載の方法。
【請求項２６】  前記適応的瀘波が、１画像フレーム内で適応的である、請求項１６記載の方法。
【請求項２７】  前記適応的瀘波が、１画素毎に行われる、請求項１６記載の方法。
【請求項２８】  １２８０画素ｘ１０８０画素で形成される、ビデオ情報を伝送するための信号形式。
【請求項２９】  前記１２８０画素が、水平情報を表し、前記１０８０画素が、垂直情報を表す、請求項２８記載の信号形式。
【請求項３０】  前記ビデオ情報が、衛星放送の情報である、請求項２８記載の信号形式。
【手続補正３】
【補正対象書類名】明細書
【補正対象項目名】０００６
【補正方法】変更
【補正の内容】
【０００６】
また、各フレーム間の量子化の相違により、１画像グループ（Ｇｒｏｕｐ  Ｏｆ  Ｐｉｃｔｕｒｅ：ＧＯＰ）内の各フレームには変動する高周波成分が含まれる。例えば、Ｉフレームは、符号化の間、高周波係数がかなり低下され、それに対し、ＰフレームとＢフレームは、Ｉフレームで低下されたものに相当する高周波成分を保持する。高周波情報は、互いを再構成するために使用されたフレーム間で異なるので、再構成されたＧＯＰにはアーティファクトが含まれる。